(57)【要約】【課題】安価で、涼感があり、軽量で、保形性にも優れた、ブラウスやシャツ等の肩部を整容するための肩パッドを提供する。【解決手段】裏面が凹状曲面部として形成され、表面が略々中央において中高の厚肉部として形成されるとともに、周縁を薄肉部として凸状に形成された肩パッドにおいて、少なくとも表面または裏面の一部または全面をメッシュ状不織布２またはメッシュ状編物で形成した。肩パッドの全体をメッシュ状不織布５等で形成してもよく、芯体１を挟んだ表面及び裏面全面をメッシュ状不織布２等で形成してもよい。メッシュ状不織布２、５は、ポリエステル等を材質とし、稜線を境にして前側が薄くかつ面積が小さく、後側が厚くかつ面積が大きくなるように形成することが好ましい。【選択図】　図１
2004043980.tif 000002
【特許請求の範囲】
【請求項１】
裏面が凹状曲面部として形成され、表面が略々中央において中高の厚肉部として形成されるとともに、周縁を薄肉部として凸状に形成された肩パッドにおいて、
少なくとも表面または裏面の一部または全面をメッシュ状不織布またはメッシュ状編物で形成したことを特徴とする肩パッド。
【請求項２】
前記肩パッドの全体を前記メッシュ状不織布またはメッシュ状編物で形成したことを特徴とする請求項１記載の肩パッド。
【請求項３】
芯体を挟んだ表面及び裏面全面を前記メッシュ状不織布またはメッシュ状編物で形成したことを特徴とする請求項１記載の肩パッド。
【請求項４】
前記メッシュ状不織布またはメッシュ状編物は、ポリエステルを材料とすることを特徴とする請求項１、２または３記載の肩パッド。
【請求項５】
前記肩パッドは、稜線を境にして前側が薄くかつ面積が小さく、後側が厚くかつ面積が大きく形成されることを特徴とする請求項１乃至４のいずれかに記載の肩パッド。
【発明の詳細な説明】
【０００１】
【発明の属する技術分野】
本発明は、肩パッドに関し、特に、ブラウス、スーツ、ジャケット等の肩部を整容するとともに、涼感にも優れた肩パッドに関する。
【０００２】
【従来の技術】
従来、ブラウスやシャツ等の肩部に内装して肩部を整容するため、種々の肩パッドが提案または使用されている。例えば、実用新案登録第３０２１０７５号公報に記載の肩パッドは、図４に示すように、芯体１１を表裏２枚の布１２で覆うことにより形成されている。
【０００３】
芯体１１は、積層した中材１３と、この中材１３の両面を覆う不織布１４とにより構成される。芯体１１は、裏面側が凹状曲面部を有し、表面側には略々中央に中高の厚肉部を有し、周縁には薄肉部を有する。尚、芯体１１は、上述の不織布１４または中材１３等の材料を使用して形成されるものの他、例えば、ウレタンフォーム等の合成樹脂発泡体を加圧成形したり、実公平５−１６１７２号公報に記載のように、積層した不織布をキルティングして形成したり、厚さ２ｍｍ程度の不織布を４枚乃至６枚積層したものを加熱及び加圧して肩パッドの芯材を形成する。
【０００４】
一方、特開２００１−２９５１１９号公報に記載の肩パッドは、図５に示すように、芯体２１を、繊維及び粘着剤からなる１枚乃至３枚の不織布を加圧、加熱して成形し、この芯体２１を伸縮可能な伸縮布２２で覆っている。これによって、安価かつ製造が容易で、成形性が良く、手洗いしても変形しない等の長所を備えた肩パッドを提供することができる。
【０００５】
しかし、両公報に記載の肩パッド等の従来のものは、ブラウスやシャツ等の肩部を整容する目的を達成することができるものの、特に夏場等において半袖の衣類に装着したような場合には、肩パッドを装着した箇所及びその周辺部が蒸し暑く感じられ、改良の余地があった。
【０００６】
そこで、例えば、図６に示すように、パンチングローラ等を使用して打ち抜きによって小径の孔３２を多数穿設した布３１を用いて肩パッドを構成することも提案されている。
【０００７】
【発明が解決しようとする課題】
しかし、上述のような多数の打ち抜いた孔３２を穿設した布３１を用いると、肩パッドの製造コストが上昇し、肩パッドが高価になるという問題があった。
【０００８】
そこで、本発明は、前記従来の肩パッド及びその製造方法における問題点に鑑みてなされたものであって、安価で、涼感があり、軽量で、保形性にも優れた肩パッドを提供することを目的とする。
【０００９】
【課題を解決するための手段】
前記目的を達成するため、本発明は、裏面が凹状曲面部として形成され、表面が略々中央において中高の厚肉部として形成されるとともに、周縁を薄肉部として凸状に形成された肩パッドにおいて、少なくとも表面または裏面の一部または全面をメッシュ状不織布またはメッシュ状編物で形成したことを特徴とする。
【００１０】
そして、本発明によれば、肩パッドの少なくとも表面または裏面の一部または全面をメッシュ状不織布またはメッシュ状編物で形成したため、通気性が向上し、涼感のある肩パッドを提供することができる。ここで、従来のようにパンチングローラ等によって多数の打ち抜き孔を穿設した布を用いるのではなく、メッシュ状不織布またはメッシュ状編物を用いるため、製造コストが上昇することなく、安価な肩パッドを提供することができる。さらに、メッシュ状編物を用いると、くるみ材を兼ねることができ、その生地及び加工代を省略することができ、製造コストを低減することができ、納期の短縮にも繋がる。
【００１１】
前記肩パッドは、全体をメッシュ状不織布またはメッシュ状編物で形成してもよく、芯体を挟んだ表面及び裏面全面をメッシュ状不織布またはメッシュ状編物としてもよい。ポリエステルを材料としたメッシュ状不織布を使用すると、特に軽量の肩パッドを提供することができ、ポリエステルを材料としたメッシュ状編物を使用すると、品質が安定する。
【００１２】
また、前記肩パッドは、稜線を境にして前側が薄くかつ面積が小さく、後側が厚くかつ面積が大きく形成されることが好ましい。これによって、人体の鎖骨及び肩甲骨の部分を考慮した形状となり、着用時に肩パッドが後側にずれ落ちたりすることがなく、着用感が向上する。
【００１３】
【発明の実施の形態】
次に、本発明にかかる肩パッドの実施の形態の具体例を図面を参照しながら説明する。
【００１４】
図１及び図２は、本発明にかかる肩パッドの第１実施例を示し、この肩パッドは、芯体１と、この芯体１を覆う表裏２枚のメッシュ状不織布２とで構成される。
【００１５】
芯体１は、弾力性及び保形性を維持するため、ポリエステル等の樹脂わたで形成される。この芯体１は、図１に示すように、裏面が凹状曲面部として形成され、表面が略々中央において中高の厚肉部として形成されるとともに、周縁を薄肉部として凸状に形成され、最大厚さは１５ｍｍ程度であり、流行等に応じて最大厚さを５ｍｍ〜３０ｍｍの範囲とすることもできる。
【００１６】
芯体１を覆うメッシュ状不織布２は、ポリエステル等を材料として水流落合または水流交絡製法等によって形成されたものであって、所望の形状、大きさに裁断され、接着剤３を塗布した後芯体１を覆い、その後加熱、加圧し、最後に周縁部を削り取って縫合する。これによって、図２に示すような肩パッドが完成する。メッシュ状不織布２の表面には、肩パッドをブラウスの肩部への着脱容易とするため、面状ファスナ４を貼着することが好ましい。
【００１７】
尚、実用新案登録第３０２１０７５号公報に記載のように、前記肩パッドは、人間工学的な面から設計することが重要である。人間の肩は、頸の付根と肩先の基準となる点を結んだ肩峰線を境として前側部分と後側部分とが非対称に形成され、この前側部分には鎖骨があるため、肩パッドを人間の肩の形状に合わせるためには、前側部分を後側部分より薄く形成する必要がある。
【００１８】
さらに、後肩部の肩甲骨部分のくぼみ部分を厚く大きく形成することが好ましく、これによって、肩パッドの後方へのずれ落ちを防止することができる。また、前側部分と後側部分の面積比についても、実用新案登録第３０２１０７５号公報に記載のように、人間工学的な見知から適正なものとする必要がある。尚、人体の肩部は前肩になっているとともに、右肩と左肩では人体の中心線に対して対称であるため、右肩用と左肩用に各々適合した形状の肩パッドを作製する必要がある。
【００１９】
次に、本発明にかかる肩パッドの第２実施例について、図３を参照しながら説明する。
【００２０】
本実施例においては、肩パッドがすべてメッシュ状不織布５で構成される。すなわち、所望の形状、大きさに裁断された複数のメッシュ状不織布５を積層し、その後加熱、加圧し、最後に周縁部を削り取りながらオーバーロックミシンで縫合して肩パッドが完成する。メッシュ状不織布２には、第１実施例と同様のものを使用することができる。また、メッシュ状不織布２の表面には、肩パッドをブラウスの肩部への着脱容易とするため、面状ファスナ６を貼着することが好ましい。本実施例では、肩パッド全体をメッシュ状不織布５によって形成しているため、より涼感に優れ、軽量の肩パッドを提供することができる。
【００２１】
尚、前記実施例においては、ポリエステル等を材料として水流落合または水流交絡製法等によって製造されたメッシュ状不織布を用いて肩パッドを形成したが、メッシュ状不織布の代わりに、比較的安価に製造されたメッシュ状編物を用いて肩パッドを形成することもできる。
【００２２】
メッシュ状編物には、ジャケット、スポーツウェアー等の上着の背裏等に用いられる縦編によるメッシュ状編物、ジャンパーのカフスや襟等に用いられる横編によるメッシュ状編物、丸く編んだものを半切りして広幅に仕上げて下着等に用いたり、必要サイズの形のものを編んでストッキング等に用いられる丸編によるメッシュ状編物が存在するが、本発明にかかる肩パッドには、縦編及び丸編のものが好適である。
【００２３】
尚、ブラウスやドレスの春夏物上着には、くるみの肩パッドが利用される。この際、メッシュ状不織布を用いた肩パッドの場合には、全体を編物生地の布でくるむことによって肩パッドを構成するが、前記メッシュ状編物を用いた場合には、樹脂綿等の中材をそのままメッシュ状編物でくるむことによって肩パッドを構成することができ、メッシュ状不織布を用いた場合のくるみ材を兼用することができて好適である。
【００２４】
また、前記中材に遠赤外線不織布を使用して、その表裏に前記メッシュ状不織布またはメッシュ状編物を用いると、遠赤外効果により血流のバランスを整え、体の冷えから発生する張りやこりを和らげることができ、ファッションを通じて健康に寄与することもできる。
【００２５】
【発明の効果】
以上説明したように、本発明によれば、安価で、涼感があり、軽量で、保形性にも優れた肩パッドを提供することができる。
【図面の簡単な説明】
【図１】本発明にかかる肩パッドの第１実施例を示す分解斜視図である。
【図２】図１の肩パッドの一部切欠斜視図である。
【図３】本発明にかかる肩パッドの第２実施例を示す一部切欠斜視図である。
【図４】従来の肩パッドの一例を示す斜視図である。
【図５】従来の肩パッドの他の例を示す斜視図である。
【図６】従来のパンチングローラ等を使用して打ち抜きによって小径の孔を多数穿設した布の一例を示す概略平面図である。
【符号の説明】
１　　　　芯体
２　　　　メッシュ状不織布
３　　　　接着剤
４　　　　面状ファスナ
５　　　　メッシュ状不織布
６　　　　面状ファスナ
【図１】
2004043980.tif 000003
【図２】
2004043980.tif 000004
【図３】
2004043980.tif 000005
【図４】
2004043980.tif 000006
【図５】
2004043980.tif 000007
【図６】
2004043980.tif 000008